(57)【要約】 【課題】  本発明は、文書を入力する文字入力手段と、複数の機能項目を選択可能な機能選択手段を有する操作部と、前記文字入力手段の操作で作成された文書データを表示する表示部と、前記機能項目を表示するガイダンス表示部とからなる表示手段とを有する印刷装置に関し、特に、前記ガイダンス表示部に表示する前記機能項目の表示態様を変更可能とすることにより、機能項目の設定状態を視認しやすい態様に変更可能な印刷装置を提供することを目的とする。【解決手段】  ガイダンス表示部７Ｂにおける機能項目の設定状態を示す表示位置に関する情報を、ＥＥＰＲＯＭ４４に形成された機能テーブル４４Ａに、機能項目夫々に関連付けて記憶し、機能項目設定時には、機能テーブル４４Ａの記憶内容に基づいて、ガイダンス表示部７Ｂの表示態様を変更するように構成する。【選択図】  図４
2005271263.tif 000002
【特許請求の範囲】
【請求項１】
文書を入力する文字入力手段と、複数の機能項目を選択可能な機能選択手段を有する操作部と、
前記文字入力手段の操作で作成された文書データを表示する表示部と、前記機能項目を表示するガイダンス表示部とからなる表示手段とを有する印刷装置において、
前記機能項目が選択された回数を機能項目毎に計数する計数手段と、
前記計数手段により計数された回数に基づき、回数が多い順に前記機能項目を並び替える並び替え手段を備えることを特徴とする印刷装置。
【請求項２】
文書を入力する文字入力手段と、複数の機能項目を選択可能な機能選択手段を有する操作部と、
前記文字入力手段の操作で作成された文書データを表示する表示部と、前記機能項目を表示するガイダンス表示部とを有する表示手段とを有する印刷装置において、
前記機能項目の選択順序に関する履歴データを記憶する選択履歴記憶手段と、
前記履歴データに基づき、前記選択順序における最新に選択された機能項目から順に機能項目を並び替える並び替え手段を備えることを特徴とする印刷装置。
【請求項３】
前記請求項１又は請求項２記載の印刷装置において、
前記各機能項目に対応して、複数の設定内容を所定順序で記憶する記憶手段を有し、
前記機能選択手段を介して、機能項目毎に１つの設定内容が選択された場合、前記並び替え手段により並び替えられた機能項目の順序に従って、設定内容を前記ガイダンス表示部に表示させる表示制御手段とを備えることを特徴とする印刷装置。
【請求項４】
前記請求項１乃至請求項３記載の印刷装置において、
前記機能項目毎に、前記ガイダンス表示部における表示位置を任意の位置に固定する表示位置固定手段を有することを特徴とする印刷装置。
【請求項５】
文書を入力する文字入力手段と、複数の機能項目を選択可能な機能選択手段を有する操作部と、
前記文字入力手段の操作で作成された文書データを表示する表示部と、前記機能項目を表示するガイダンス表示部とを有する表示手段とを有する印刷装置において、
前記機能項目毎に、前記ガイダンス表示部における表示位置を任意の位置に固定する表示位置固定手段を有することを特徴とする印刷装置。
【請求項６】
前記請求項３又は請求項４記載の印刷装置において、
前記ガイダンス表示部での機能項目の表示又は非表示を、前記機能項目ごとに切り替え設定する表示設定切替手段を有することを特徴とする印刷装置。
【請求項７】
前記請求項１乃至請求項６記載の印刷装置において、
前記ガイダンス表示部を複数の表示画面に切り替えるガイダンス表示切替手段を有することを特徴とする印刷装置。
【請求項８】
前記請求項１乃至請求項７記載の印刷装置において、
前記ガイダンス表示部における機能項目表示数を所定の表示数に制限する表示数制限手段を有することを特徴する印刷装置。
【請求項９】
前記請求項１乃至請求項８記載の印刷装置において、
前記ガイダンス表示部表示にされる機能項目の並び順と、前記記憶手段に記憶された機能項目の並び順をリンクさせるリンク手段を有することを特徴とする印刷装置。
【発明の詳細な説明】
【技術分野】
【０００１】
本発明は、文書を入力する文字入力手段と、複数の機能項目を選択可能な機能選択手段を有する操作部と、前記文字入力手段の操作で作成された文書データを表示する表示部と、前記機能項目を表示するガイダンス表示部とからなる表示手段とを有する印刷装置に関し、特に、前記ガイダンス表示部に表示する前記機能項目の表示態様を変更可能な印刷装置に関するものである。
【背景技術】
【０００２】
従来、印刷装置の表示手段において、文字サイズ等の書式に関する機能項目のうち何がどのように選択されているのかを示すガイダンス表示を行う印刷装置がある。このような印刷装置において、ユーザは、前記ガイダンス表示部を視認することにより、現在設定されている機能項目を確認することが可能となる。そして、これにより、誤操作なく、ユーザ所望の印刷態様を印刷することが可能となっている。
このようなガイダンス表示を行う印刷装置に関する技術が、特許文献１に記載されている。特許文献１には、帯状に形成され、作成中の文書データを表示する主表示部と、主表示手段の上側に狭い帯状に形成された副表示手段を有する印字装置が記載されている。特許文献１記載の印字装置では、文字サイズ、書体、文字修飾等の複数の書式項目の設定状態を副表示手段に表示し、書式項目の設定状態をユーザに報知するように構成されている。
【０００３】
【特許文献１】特開平５−１７７９０１号公報（図１３参照）
【発明の開示】
【発明が解決しようとする課題】
【０００４】
特許文献１記載の印字条件表示機能付記録装置では、複数の書式項目の設定状態を示す表示の前記副表示手段における表示位置は、常に固定されており、表示する項目も、文字サイズや書体等の所定の書式項目に関する表示に限定されている。このため、所定の書式項目以外の書式設定に関する設定状態は副表示手段に表示されなかった。ユーザが所定の書式項目以外の書式（例えば、アンダーラインや枠修飾）の設定を行った場合、副表示手段を視認しても、設定状態を確認することができず、作成した文書データが所望の設定と異なる状態で印刷されてしまうことがあった。また、所望の印刷態様で印刷された印刷物を得るために、再度、設定モードに移行して、所定の書式項目以外の設定状態の確認や再設定を行うことに伴う煩雑な操作を行わなければならなかった。
【０００５】
本発明は、上述した課題を鑑みてなされたものであり、文書を入力する文字入力手段と、複数の機能項目を選択可能な機能選択手段を有する操作部と、前記文字入力手段の操作で作成された文書データを表示する表示部と、前記機能項目を表示するガイダンス表示部とからなる表示手段とを有する印刷装置に関し、特に、前記ガイダンス表示部に表示する前記機能項目の表示態様を変更可能に構成した印刷装置を提供することを目的とする。
【課題を解決するための手段】
【０００６】
前記目的を達成するため請求項１に係る印刷装置は、文書を入力する文字入力手段と、複数の機能項目を選択可能な機能選択手段を有する操作部と、前記文字入力手段の操作で作成された文書データを表示する表示部と、前記機能項目を表示するガイダンス表示部とからなる表示手段とを有する印刷装置において、前記機能項目が選択された回数を機能項目毎に計数する計数手段と、前記計数手段により計数された回数に基づき、回数が多い順に前記機能項目を並び替える並び替え手段を備えることを特徴とする。
【０００７】
また、前記請求項２に係る印刷装置は、文書を入力する文字入力手段と、複数の機能項目を選択可能な機能選択手段を有する操作部と、前記文字入力手段の操作で作成された文書データを表示する表示部と、前記機能項目を表示するガイダンス表示部とを有する表示手段とを有する印刷装置において、前記機能項目の選択順序に関する履歴データを記憶する選択履歴記憶手段と、前記履歴データに基づき、前記選択順序における最新に選択された機能項目から順に機能項目を並び替える並び替え手段を備えることを特徴とする。
【０００８】
そして、前記請求項３に係る印刷装置は、前記請求項１又は請求項２記載の印刷装置において、前記各機能項目に対応して、複数の設定内容を所定順序で記憶する記憶手段を有し、前記機能選択手段を介して、機能項目毎に１つの設定内容が選択された場合、前記並び替え手段により並び替えられた機能項目の順序に従って、設定内容を前記ガイダンス表示部に表示させる表示制御手段とを備えることを特徴とする。
【０００９】
更に、前記請求項４に係る印刷装置は、前記請求項１乃至請求項３記載の印刷装置において、前記機能項目毎に、前記ガイダンス表示部における表示位置を任意の位置に固定する表示位置固定手段を有することを特徴とする。
【００１０】
そして、前記請求項５に係る印刷装置は、文書を入力する文字入力手段と、複数の機能項目を選択可能な機能選択手段を有する操作部と、前記文字入力手段の操作で作成された文書データを表示する表示部と、前記機能項目を表示するガイダンス表示部とを有する表示手段とを有する印刷装置において、前記機能項目毎に、前記ガイダンス表示部における表示位置を任意の位置に固定する表示位置固定手段を有することを特徴とする。
【００１１】
また、前記請求項６に係る印刷装置は、前記請求項３又は請求項４記載の印刷装置において、前記ガイダンス表示部での機能項目の表示又は非表示を、前記機能項目ごとに切り替え設定する表示設定切替手段を有することを特徴とする。
【００１２】
更に、前記請求項７に係る印刷装置は、前記請求項１乃至請求項６記載の印刷装置において、前記ガイダンス表示部を複数の表示画面に切り替えるガイダンス表示切替手段を有することを特徴とする。
【００１３】
そして、前記請求項８に係る印刷装置は、前記請求項１乃至請求項７記載の印刷装置において、前記ガイダンス表示部における機能項目表示数を所定の表示数に制限する表示数制限手段を有することを特徴する。
【００１４】
更に、前記請求項９に係る印刷装置は、前記請求項１乃至請求項８記載の印刷装置において、前記ガイダンス表示部表示にされる機能項目の並び順と、前記記憶手段に記憶された機能項目の並び順をリンクさせるリンク手段を有することを特徴とする。
【発明の効果】
【００１５】
前記請求項１記載の印刷装置は、文書を入力する文字入力手段と、複数の機能項目を選択可能な機能選択手段を有する操作部と、前記文字入力手段の操作で作成された文書データを表示する表示部と、前記機能項目を表示するガイダンス表示部とからなる表示手段とを有する印刷装置において、前記機能項目が選択された回数を機能項目毎に計数する計数手段と、前記計数手段により計数された回数に基づき、回数が多い順に前記機能項目を並び替える並び替え手段を備えるので、前記機能項目は、ユーザの使用頻度の高い順に、ガイダンス表示部に表示される。これにより、ユーザは、ガイダンス表示部を視認することのみで、機能項目の設定状態を確認可能な状態を多くすることができ、設定確認のための煩雑な操作を省略することができる。
【００１６】
また、前記請求項２記載の印刷装置は、文書を入力する文字入力手段と、複数の機能項目を選択可能な機能選択手段を有する操作部と、前記文字入力手段の操作で作成された文書データを表示する表示部と、前記機能項目を表示するガイダンス表示部とを有する表示手段とを有する印刷装置において、前記機能項目の選択順序に関する履歴データを記憶する選択履歴記憶手段と、前記履歴データに基づき、前記選択順序における最新に選択された機能項目から順に機能項目を並び替える並び替え手段を備えるので、前記機能項目は、最新に選択された機能項目から順にガイダンス表示部に表示される。これにより、ユーザがガイダンス表示部を視認することのみで、機能項目の設定状態を確認可能な状態となり、設定確認のための煩雑な操作を省略することができる。
【００１７】
そして、前記請求項３記載の印刷装置は、前記各機能項目に対応して、複数の設定内容を所定順序で記憶する記憶手段を有し、前記機能選択手段を介して、機能項目毎に１つの設定内容が選択された場合、前記並び替え手段により並び替えられた機能項目の順序に従って、設定内容を前記ガイダンス表示部に表示させる表示制御手段とを備えるので、前記機能項目毎に複数存在する設定内容から、所望の設定内容を選択した際には、ガイダンス表示部に、選択した設定内容が表示される。これにより、ユーザがガイダンス表示部を視認することで、機能項目毎の設定内容まで把握することができる。
【００１８】
更に、前記請求項４記載の印刷装置は、前記機能項目毎に、前記ガイダンス表示部における表示位置を任意の位置に固定する表示位置固定手段を有するので、ユーザは、任意の機能項目を、ガイダンス表示部の任意の表示位置に固定することができる。これにより、ユーザは、頻繁に用いる機能項目を視認しやすい位置に固定することができる。
【００１９】
そして、前記請求項５記載の印刷装置は、文書を入力する文字入力手段と、複数の機能項目を選択可能な機能選択手段を有する操作部と、前記文字入力手段の操作で作成された文書データを表示する表示部と、前記機能項目を表示するガイダンス表示部とを有する表示手段とを有する印刷装置において、前記機能項目毎に、前記ガイダンス表示部における表示位置を任意の位置に固定する表示位置固定手段を有するので、ユーザは、任意の機能項目を、ガイダンス表示部の任意の表示位置に固定することができる。これにより、ユーザは、頻繁に用いる機能項目を視認しやすい位置に固定することができる。
【００２０】
また、前記請求項６記載の印刷装置は、前記ガイダンス表示部での機能項目の表示又は非表示を、前記機能項目ごとに切り替え設定する表示設定切替手段を有するので、ユーザは、使用頻度の低い機能項目を非表示に設定することができる。これにより、不必要な機能項目の設定状態を示す表示がされず、ガイダンス表示部の表示を視認しやすくすることができる。
【００２１】
更に、前記請求項７記載の印刷装置は、前記ガイダンス表示部を複数の表示画面に切り替えるガイダンス表示切替手段を有するので、複数画面にわたって、ガイダンス表示部に多数の機能項目の設定状態が表示されている場合にも、表示を切り替えることにより、多数の機能項目の設定状態を視認することができる。
【００２２】
そして、前記請求項８に係る印刷装置は、前記ガイダンス表示部における機能項目表示数を所定の表示数に制限する表示数制限手段を有するので、ユーザは、任意にガイダンス部に表示される機能項目の数を設定することができる。これにより、ユーザは自らが見やすい態様に、ガイダンス表示部の表示を設定することができる。
【００２３】
更に、前記請求項９に係る印刷装置は、前記ガイダンス表示部表示にされる機能項目の並び順と、前記記憶手段に記憶された機能項目の並び順をリンクさせるリンク手段を有するので、ユーザ自らが視認しやすい態様に設定したガイダンス表示部に表示される機能項目の並び順と同じ並び順に、機能項目を選択する機能項目選択モードにおける機能項目の並び順を変更することができる。これにより、機能項目選択モードにおける機能項目の選択も、ユーザの選択しやすい並び順に変更することができる。
【発明を実施するための最良の形態】
【００２４】
以下、本発明に係る印刷装置を、具体化した一実施形態であるテープ印字装置について、図面を参照しつつ詳細に説明する。
【実施例１】
【００２５】
先ず、本実施形態に係るテープ印字装置の概略構成について図１に基づき説明する。  図１は、本実施形態に係るテープ印字装置の外観図であり、（Ａ）は概略上方外観図、（Ｂ）は概略右側方外観図である。
図１に示すように、テープ印字装置１には、文書データからなるテキストを作成するための文字入力キー２、テキストの印字を指令する印字キー３、及び、改行指令や各種処理の実行、選択を指令するリターンキー４、液晶ディスプレイ（ＬＣＤ）７上でカーソルを上下、左右に移動させるカーソルキー５、複数の機能項目と、それに対する設定内容を設定可能な機能選択モードに移行させる機能キー１３Ａ、後述する機能項目の設定状態を表示するガイダンス表示部７Ｂの画面を切り替えるガイダンス画面切替キー１３Ｂ、ガイダンス表示部７Ｂにおける機能項目の表示順を設定するユーザ設定キー１３Ｃを備えるキーボード６、及び、後述のテープカセット２１（図２参照）を収納するカセット収納部８が収納カバー８Ａで覆われて配設されている。
また、このキーボード６の下側には、制御回路部が構成される制御基板１２が配設されている。また、カセット収納部８の左側面部には、印字されたテープが排出されるテープ排出口１６が形成されている。また、該カセット収納部８の右側面部には、電源アダプタが取り付けられるアダプタ挿入口１７、及ぶ不図示の外部機器と接続するためのＵＳＢケーブルが取り付けられるコネクタ１８が設けられている。
【００２６】
また、このカセット収納部８には、サーマルヘッド９と、このサーマルヘッド９に対向するプラテンローラ１０と、このプラテンローラ１０の下流側のテープ送り用ローラ１１と、このテープ送り用ローラ１１に対向するテープ駆動ローラ軸１４とが配置されている他に、テープカセット２１内に収納されるインクリボンを送るリボン巻取軸１５等が配置されている。
サーマルヘッド９は、正面視略縦長四角形の平板状で、前面の左端縁部には、所定個数の各発熱素子Ｒ1〜Ｒn（ｎは、本実施形態では、１２８個である。）が、該左端縁部の辺に沿って一列に配列されて形成されている。また、該サーマルヘッド９は、メッキ鋼板やステンレス鋼板等により形成される正面視略四角形の放熱板９Ａの前面の左端縁部に、各発熱素子Ｒ1〜Ｒn の配列方向が、該放熱板９Ａの左端縁部の辺に平行になるように接着剤などによって固着されている。そして、該放熱板９Ａは、各発熱素子Ｒ1〜Ｒn の配列方向が、テープカセット２１の開口部３２（図２参照）における被印字テープ３６（図２参照）の搬送方向に略直交するように、ビス止め等によってカセット収納部８の下側に取り付けられている。
【００２７】
また、リボン巻取軸１５は、ステッピングモータ等により構成されるテープ送りモータ５２（図３参照）から適宜の駆動機構を介して回転駆動される。また、テープ駆動ローラ軸１４は、テープ送りモータ５２から適宜の伝達機構を介して回転駆動され、後述するテープ駆動ローラ３３（図２参照）を回転駆動する
【００２８】
次に、テープ印字装置１のカセット収納部８にテープカセット２１を装着した場合の概略構成について図２に基づいて説明する。図２は、テープカセット２１を装着した場合のカセット収納部８の構成図である。
テープカセット２１は透明テープ等からなる被印字テープ３６、この被印字テープ３６に印字を施すためのインクリボン３０、更には、印字がなされた被印字テープ３６に裏貼りされる両面粘着テープ３１を各々、テープスプール３６Ａ、リール３０Ａ、テープスプール３１Ａに巻回して、テープカセットの底面に立設されるカセットボス３６Ｂ、リールボス３０Ｂ、カセットボス３１Ｂに回転可能に嵌挿して収納したものであり、更に、使用済みのインクリボン３０を巻き取るインクリボン巻取リール３０Ｃを備えている。
【００２９】
そして、前記リール３０Ａに巻回され、このリール３０Ａから引き出された未使用のインクリボン３０は、被印字テープ３６と重ね合わされ、被印字テープ３６と共に開口部３２に入り、サーマルヘッド９及びプラテンローラ１０の間を通過する。その後、インクリボン３０は、被印字テープ３６から引き離され、リボン巻取軸１５により回転駆動されるインクリボン巻取リール３０Ｃに至り、このインクリボン巻取リール３０Ｃにより巻き取られる。
また、前記両面粘着テープ３１は、片面に離形紙を重ね合わされた状態で、離形紙を外側にしてテープスプール３１Ａに巻回されて収納されている。そして、このテープスプール３１Ａから引き出された両面粘着テープ３１は、テープ駆動ローラ３３とテープ送り用ローラ１１との間を通過し、離形紙が重ね合わされない側の粘着面が被印字テープ３６に貼着される。
【００３０】
これにより、前記テープスプール３６Ａに巻回され、このテープスプール３６Ａから引き出された被印字テープ３６は、テープカセット２１のサーマルヘッド９が挿入される開口部３２を通過する。その後、両面粘着テープ３１が貼り合わされる被印字テープ３６は、テープカセット２１の片側下方部（図２中、左下側部）に回転自在に設けられ、テープ送りモータ５２の駆動を受けて回転するテープ駆動ローラ３３と、このテープ駆動ローラ３３に対向配置されるテープ送り用ローラ１１との間を通過して、テープカセット２１の外部に送り出されて、テープ印字装置１のテープ排出口１６より排出される。この場合、両面粘着テープ３１は、被印字テープ３６に対してテープ駆動ローラ３３及びテープ送り用ローラ１１によって圧着される。
【００３１】
そして、サーマルヘッド９により印字されて両面粘着テープ３０が圧着された被印字テープ３６は、テープカセット２１から固定刃３５Ａと可動刃３８Ａとの間を通ってテープ排出口１６から外に延びているので、切断信号により駆動された切断用モータ５４により、揺動駆動機構を介して操作レバー３８の後端部が上下揺動され、可動刃３８Ａが固定刃３５Ａに接近して、これら両刃３５Ａ・３８Ａで被印字テープ３６が切断され、ユーザ所望の印字データが印字された印字テープを手にすることができる。
【００３２】
次に、テープ印字装置１の回路構成について図３に基づき説明する。図３は、本実施形態に係るテープ印字装置の制御系ブロック図である。
テープ印字装置１の制御基板１２上に形成される制御回路部４０は、ＣＰＵ４１、ＣＧ（キャラクタジェネレータ）ＲＯＭ４２、ＲＯＭ４３、ＥＥＰＲＯＭ４４、ＲＡＭ４５、入出力インターフェース（Ｉ／Ｆ）４６、及び通信用インターフェース（Ｉ／Ｆ）４７等を備えている。また、ＣＰＵ４１、ＣＧＲＯＭ４２、ＲＯＭ４３、ＥＥＰＲＯＭ４４、ＲＡＭ４５、入出力インターフェース（Ｉ／Ｆ）４６、及び通信用インターフェース（Ｉ／Ｆ）４７は、バス線４８により相互に接続されて、相互にデータのやり取りが行われる。
【００３３】
ここに、ＣＧＲＯＭ４２には各キャラクタに対応するドットパターンデータが記憶されており、ドットパターンデータがＣＧＲＯＭ４２から読み出され、そのドットパターンデータに基づいて液晶ディスプレイ（ＬＣＤ）７上にドットパターンが表示される。
本実施形態における液晶ディスプレイ７には、文字等のキャラクタを複数画面に渡って表示可能な主表示部７Ａと、機能項目の設定状態を複数画面に渡って表示可能なガイダンス表示部７Ｂとから構成されている。
また、ＲＯＭ４３は、各種のプログラムを記憶させておくものであり、後述のガイダンス表示部７Ｂにおける機能項目の表示制御プログラム等のテープ印字装置１の制御上必要な各種のプログラムが記憶されている。そして、ＣＰＵ４１は、係るＲＯＭ４３に記憶されている各種のプログラムに基づいて各種の演算を行なうものである。また、ＲＯＭ４３には、多数の文字等のキャラクタそれぞれについて、各キャラクタの輪郭線を規定する輪郭線データ（アウトラインデータ）が各書体（ＨＥＬＳＩＮＫＩ、ＯＫＬＡＨＯＭＡ等）毎に分類されてコードデータに対応して記憶されている。また、各機能項目に対応する設定内容を示すマークについても、設定内容に関連付けて記憶されている。そして、アウトラインデータに基づいてドットパターンデータがプリントバッファ４５Ｂ上に展開される。
また、ＥＥＰＲＯＭ４４は、テープ印字装置１の電源をオフしても記憶内容を保持する記憶手段であり、ＥＥＰＲＯＭ４４には、機能項目夫々について、設定情報で構成された後述する機能テーブル４４ａを備える。
【００３４】
また、ＲＡＭ４５は、ＣＰＵ４１により演算された各種の演算結果を一時的に記憶させておくためのものである。また、サーマルヘッド９を介して被印字テープ３６に印字する際に印字データが一時記憶される。更に、ＲＡＭ４５には、テキストメモリ４５Ａ、プリントバッファ４５Ｂ等の各種のメモリが設けられている。このテキストメモリ４５Ａには、キーボード６から入力された文書データ等の印字データとしての編集テキストが格納される。また、印字バッファ４５Ｂには、複数の文字や記号等の印字用ドットパターンや各ドットの形成エネルギ量である印加パルス数等がドットパターンデータとして格納され、サーマルヘッド９は係るプリントバッファ４５Ｂに記憶されているドットパターンデータに従ってドット印字を行う。
【００３５】
また、入出力Ｉ／Ｆ６５には、キーボード６、カセットセンサ４９と、ガイダンス表示部と、主表示部とから構成される液晶ディスプレイ（ＬＣＤ）７に表示データを出力する為のビデオＲＡＭを有するディスプレイコントローラ（ＬＣＤＣ）５０と、サーマルヘッド９を駆動する為の駆動回路５１と、テープ送りモータ５２を駆動する為の駆動回路５３と、切断用モータ５４を駆動する為の駆動回路５５とが夫々接続されている。
また、通信用Ｉ／Ｆ４７は、例えば、ＵＳＢ（Universal Serial Bus）等から構成され、不図示の外部機器とＵＳＢケーブルによって接続され、双方向データ通信が可能になっている。
【００３６】
次に、本実施形態におけるテープ印字装置１の動作について図４乃至図９に基づき説明する。これら図４乃至図９にフローチャートで示される各プログラムは、ＲＯＭ４３に記憶されており、ＣＰＵ４１により実行される。先ず、テープ印字装置１の基本制御プログラムに関して図４を用いて説明する。図４は、テープ印字装置１の基本制御プログラムのフローチャートである。
【００３７】
本実施形態に係るテープ印字装置１では、キーボード６に配設された電源キーの押下により、テープ印字装置１の処理が開始される。テープ印字装置１の基本制御が開始されると、ステップ（以後、Ｓと略す）１において、初期化処理がおこなわれる。この初期化処理では、各メモリ領域のクリア等の初期化処理が行われる。初期化処理終了後、Ｓ２において、バックアップデータが存在するか否かについての判断がなされる。このバックアップデータは、機能テーブル４４ａに記憶されているガイダンス表示部７Ｂに表示される機能項目に関する設定データである。バックアップデータが存在する場合（Ｓ２：ＹＥＳ）には、Ｓ４に移行する。一方、バックアップデータが存在しない場合（Ｓ２：ＮＯ）には、ガイダンス表示部７Ｂに表示する機能項目の表示に関する設定である機能設定を初期値に設定する。Ｓ３で初期設定を行った場合の機能テーブル４４Ａは、図１０（ａ）に示す状態であり、初期設定終了後、Ｓ４に移行する。
【００３８】
Ｓ４では、ガイダンス画面表示処理が行われる。ガイダンス画面表示処理については、後に図面を参照しつつ詳細に説明する。ガイダンス画面表示処理（Ｓ４）終了後、Ｓ５に移行する。
【００３９】
Ｓ５では、キーボード６に配設されている何れかのキーが入力されたか否かについての判断がなされ、何れかのキーが入力された場合（Ｓ５：ＹＥＳ）には、Ｓ６に移行する。何れのキーも入力されない場合（Ｓ５：ＮＯ）には、キーの入力があるまで処理を待機する。
Ｓ５にて、何れかのキーが入力されると、Ｓ６で文書入力であるか否かの判断がなされる。つまり、Ｓ５で入力されたキーが、文書入力に係るキーであるか否かについての判断がなされる。ここで、本実施形態における文書入力に係るキーは、文字入力キー２である。文書入力である場合（Ｓ６：ＹＥＳ）には、入力された文字入力キー２に対応する文字データを読み出し、文書データを作成し、（Ｓ７）その後、Ｓ４に戻る。一方、文字入力ではない場合（Ｓ６：ＮＯ）には、Ｓ８に移行する。
【００４０】
Ｓ８においては、ガイダンス画面切替キー１３Ｂであるか否かの判断がなされる。ガイダンス画面切替キー１３Ｂが入力された場合（Ｓ８：ＹＥＳ）には、現在ガイダンス表示部７Ｂに表示すべき画面が、複数画面のどの画面であるかを示すガイダンス画面情報を取得し、ＲＡＭ４５に記憶する。ガイダンス表示切替キー１３Ｂが入力されなかった場合（Ｓ８：ＮＯ）には、Ｓ１０に移行する。
本実施形態に係るテープ印字装置１に配設された液晶ディスプレイ７は、主表示部７Ａ、ガイダンス表示部７Ｂ共に、横方向３画面をキー操作により、夫々切替表示することができる液晶ディスプレイである。（図１１参照）。ここで、本実施形態においては、図１１（ａ）に示すガイダンス表示７Ｂの状態を第１画面といい、図１１（ｂ）の状態を第２画面、図１１（ｃ）の状態を第３画面とする。
Ｓ８において、ガイダンス画面切替キー１３Ｂが入力された場合（Ｓ８：ＹＥＳ）には、現在、ガイダンス表示部７Ｂに表示されている画面が、第１画面、第２画面若しくは第３画面のどれに当たるのかを判断し、ＲＡＭ４５に記憶するのである。ガイダンス画面情報を取得した後、Ｓ９に移行する。
【００４１】
Ｓ９では、Ｓ８で取得したガイダンス画面情報と、ガイダンス画面切替キー１３Ｂの入力に基づいて、ガイダンス表示部７Ｂの表示を切り替えるように、ガイダンス画面情報の変更がなされる。
具体例を挙げると、ガイダンス画面切替キー１３Ｂ入力前、ガイダンス表示部７Ｂに第１画面（図１１（ａ））の状態で表示されている場合に、ガイダンス画面切替キー１３Ｂを入力すると（Ｓ８：ＹＥＳ）、ガイダンス画面情報としては、第１画面を表示する旨の情報が取得される。そして、Ｓ９にて、ガイダンス画面情報は、ガイダンス画面切替キー１３Ｂの入力に基づいて、第２画面（図１１（ｂ））を表示する旨の情報に変更される。そして、Ｓ７の時点でのガイダンス表示部７Ｂの表示態様が、第２画面（図１１（ｂ））の場合は、第３画面（図１１（ｃ））を、第３画面（図１１（ｃ））の場合には、第１画面（図１１（ａ））を表示する旨のガイダンス画面情報に変更される。ガイダンス画面情報の変更終了後、Ｓ４に移行する。
【００４２】
Ｓ８において、入力されたキーがガイダンス画面切替キー１３Ｂではないと判断された場合（Ｓ８：ＮＯ）には、Ｓ１０にて、ユーザ設定キー１３Ｃであるか否かの判断がなされる。ユーザ設定キー１３Ｃが入力された場合（Ｓ１０：ＹＥＳ）には、Ｓ１１に移行し、機能表示ＯＮ／ＯＦＦ設定がなされる。本実施形態における機能表示ＯＮ／ＯＦＦ設定は、ガイダンス表示部７Ｂを第３画面に切り替えた際に表示される機能項目に対して、当該機能項目の表示・非表示を設定する処理である。Ｓ１１における機能表示ＯＮ／ＯＦＦ設定については、後に図６を参照しつつ詳細に説明する。機能表示ＯＮ／ＯＦＦ設定（Ｓ１１）終了後、Ｓ１２に移行する。
【００４３】
Ｓ１２においては、固定情報設定処理が行われる。本実施形態における固定情報設定処理とは、機能項目の表示を、ガイダンス表示部７Ｂの第１画面乃至第３画面中、任意の位置に固定する設定処理である。固定情報設定処理については、後に、図７を参照しつつ詳細に説明する。固定情報設定処理（Ｓ１２）終了後、Ｓ４に戻る。
【００４４】
一方、Ｓ１０において、ユーザ設定キー１３Ｃが入力されなかったと判断された場合（Ｓ１０：ＮＯ）には、Ｓ１３において、機能キー１３Ａが入力されたか否かの判断がなされる。機能キー１３Ａが入力された場合（Ｓ１３：ＹＥＳ）には、複数の機能項目から、ユーザ所望の機能項目を選択し、選択された機能項目に対する設定内容に設定する機能選択処理（Ｓ１４）に移行する。Ｓ１４における機能選択処理については、後に図８を参照しながら詳細に説明する。
また、機能キー１３Ａが入力されなかった場合（Ｓ１３：ＮＯ）には、Ｓ１５に移行し、その他の処理がなされる。本実施形態におけるその他の処理では、作成された文書データの印刷処理等が行われる。その他の処理（Ｓ１５）終了後、Ｓ４に戻る。
【００４５】
次に、Ｓ４におけるガイダンス画面表示処理について、図５及び図１０を参照しつつ詳細に説明する。図５は、ガイダンス画面表示処理プログラムのフローチャートであり、図１０は、機能テーブル４４Ａの説明図である。
【００４６】
Ｓ４より、ガイダンス画面表示処理に入ると、先ずＳ１６にて、ガイダンス画面情報を取得する。Ｓ３よりガイダンス画面表示処理に入った場合には、Ｓ１の初期化処理によりガイダンス画面情報の初期値である第１画面（図１１（ａ）参照）を表示する旨の情報を取得する。また、Ｓ９よりガイダンス画面表示に関する処理に入った場合には、Ｓ９にて変更されたガイダンス画面情報を取得する。その他の場合には、現在ガイダンス表示部７Ｂに表示されている画面に対応するガイダンス画面情報を維持する。
【００４７】
Ｓ１６にて、ガイダンス画面情報を取得し、Ｓ１７に移行すると、ガイダンス画面情報が、第３画面を表示する旨の情報であるか否かの判断がなされる。ガイダンス画面情報が第３画面を表示する旨の情報である場合（Ｓ１７：ＹＥＳ）には、Ｓ１７に移行する。第３画面を表示する旨の情報ではない場合（Ｓ１７：ＮＯ）には、Ｓ１９へと移行する。
【００４８】
Ｓ１８においては、表示フラグがＯＮであるか否かの判断がなされる。表示フラグに関するデータは、Ｓ２で判断されるバックアップデータに含まれており、初期設定では、ＯＮに設定されている。また、表示フラグは、後述する機能項目ＯＮ／ＯＦＦ設定において、設定変更が可能である。表示フラグがＯＮである場合（Ｓ１８：ＹＥＳ）には、Ｓ１９に移行する。一方、表示フラグがＯＮではない場合（Ｓ１８：ＮＯ）、即ち、表示フラグがＯＦＦである場合には、ガイダンス画面表示に関する処理を終了する。このとき、第３画面は非表示となる（図１２参照）。
【００４９】
ガイダンス画面表示がＳ１９に移行すると、機能テーブル情報を取得する。機能テーブル４４Ａに記憶されている各種情報を取得し（Ｓ１９）、取得した機能テーブル情報に基づいて、ガイダンス表示部７Ｂに、機能項目を表示する（Ｓ２０）。
【００５０】
ここで、機能テーブル情報について、図１０を参照しつつ詳細に説明する。図１０は、機能テーブルに関する説明図であり、図１０（ａ）は、初期設定状態の機能テーブル４４Ａを示す説明図であり、図１１は、この機能テーブル４４Ａに基づいて表示されたものである。
本実施形態における機能テーブル４４Ａは、各機能項目対する画面番号、表示番号、固定番号及びカウント数のデータテーブルである。ここで、夫々のデータについて説明する。
先ず、画面番号とは、機能項目を、ガイダンス表示部７Ｂの第１画面乃至第３画面において、どの画面に表示するのかを示すデータであり、本実施形態においては、第１画面乃至第３画面に対応する１、２及び３が設定可能である。そして、画面番号が３に設定されている機能項目について、Ｓ１８において判断される表示フラグのＯＮ／ＯＦＦ設定が可能である。
そして、表示番号は、ガイダンス表示部７Ｂにおける機能項目の表示位置を示すデータであり、第１画面（図１１（ａ））の左方向より１から４、第２画面（図１１（ｂ））左より５から８、第３画面（図１１（ｃ））左より９，１０として、番号と表示位置を関連付けたものである。
また、固定番号は、機能項目の表示位置を指定し、指定した表示位置に表示を固定するデータである。本実施形態においては、前述した表示番号と同じ番号を、固定番号として設定することにより、表示番号に対応する表示位置に機能項目を固定して表示することとなる。また、固定番号を、表示番号として存在しない「０」に設定することにより、後述する機能項目の並び替え対象となる。
次に、カウント数について説明する。カウント数は、後述する機能設定処理において、計数される機能項目毎の設定回数のデータである。本実施形態では、機能設定処理にて、カウント数の大きい順にソートを行う処理がなされ、ソートを行う際に用いられるデータである。
Ｓ１９において、上述したこれらの機能テーブル情報を取得し、画面番号、表示番号、固定番号及び、カウント数に基づいて、決定されるガイダンス表示部７Ｂの表示位置に機能項目を表示する（Ｓ２０）。ガイダンス表示部７Ｂに、機能項目を表示した後、ガイダンス画面表示に関する処理を終了する。
【００５１】
次に、Ｓ１０において、ユーザ設定キー１３Ｃが入力された場合に行われる機能表示ＯＮ／ＯＦＦ設定処理（Ｓ１１）について、図面を参照しつつ詳細に説明する。図６は機能表示ＯＮ／ＯＦＦ設定処理プログラムのフローチャートである。
【００５２】
Ｓ１０でユーザ設定キー１３Ｃが入力され、機能表示ＯＮ／ＯＦＦ設定処理に入ると、ＯＮ／ＯＦＦ設定画面が表示される（Ｓ２１）。本実施形態においては、第３画面（図１１（ｃ））に表示される機能項目の表示、非表示に関する設定が可能である。Ｓ２１において、表示されるＯＮ／ＯＦＦ設定画面では、第３画面に表示される機能項目の表示、非表示を選択する画面が表示される。
Ｓ２１で表示されるＯＮ／ＯＦＦ設定画面において、カーソルキー５等のキー操作により、ＯＮ／ＯＦＦを選択する。そして、Ｓ２２において、選択した表示設定が、ＯＮ設定であるか否かの判断がなされる。選択した表示設定がＯＮ設定である場合（Ｓ２２：ＹＥＳ）には、バックアップデータを構成する表示フラグをＯＮに設定し（Ｓ２３）、Ｓ２５に移行する。一方、選択した表示設定が、ＯＮ設定ではない場合（Ｓ２２：ＮＯ）には、表示フラグをＯＦＦに設定し（Ｓ２４）、Ｓ２５に移行する。Ｓ２５では、Ｓ２３及びＳ２４で設定された表示フラグの設定内容をＥＥＰＲＯＭ４４に記憶し、機能表示ＯＮ／ＯＦＦ設定処理を終了する。
【００５３】
機能表示ＯＮ／ＯＦＦ設定処理（Ｓ１１）が終了すると、固定情報設定処理（Ｓ１２）に移行する。次に、固定情報設定処理について、図面を参照しつつ、詳細に説明する。図７は、固定情報設定処理プログラムのフローチャートである。図１３は、固定情報選択画面を示した図である。
【００５４】
固定情報設定処理に入ると、先ず、Ｓ２６において、固定情報選択画面（図１３参照）が表示される。固定情報選択画面は、機能項目毎に、機能項目の表示をユーザ所望の表示位置への固定すること及び、機能項目を後述するソートの対象項目とすることの２つの意味を有する固定番号が設定可能な画面である。
先ず、図１３（ａ）に示す固定情報選択画面が表示される。この時、液晶ディスプレイ７には、機能項目「Ｆｏｎｔ」、「Ｓｉｚｅ」、「Ｓｔｙｌｅ」が表示され、各機能項目の現在の固定番号設定が表示される。図１３（ａ）の状態から、キーボード６の操作により画面を切り替えると、図１３（ｂ）に示す固定情報設定画面が表示される。
図１３（ｂ）では、機能項目「Ｉｔａｌｉｃ」、「Ｖｅｒｔ」、「Ｕｎｄｅｒｌｉｎｅ」の３項目が表示され、同様の操作で画面表示を切り替えると、図１３（ｃ）、図１３（ｄ）に切り替えることができる。図１３（ｃ）は、機能項目「Ｆｒａｍｅ」、「Ｗｉｄｔｈ」、「Ａｌｉｎｅ」の３項目、図１３（ｄ）は、機能項目「Ｃｕｔ」に対する固定情報設定画面が表示される。
固定情報設定画面が液晶ディスプレイ７に表示されると（Ｓ２６）、固定情報設定がなされる。本実施形態においては、固定情報設定画面が液晶ディスプレイ７に表示された状態で、キーボード６を操作することにより、各機能項目に対する固定番号を設定することができる。固定情報設定画面において、表示位置を固定したい機能項目に対して、表示番号と同じ数値を入力することにより、設定された機能項目のガイダンス表示部における表示位置が固定される。一方、表示位置を固定せず、ソート対象としておきたい機能項目については、図１３にあるように、［ＯＦＦ］と設定する（Ｓ２７）。
【００５５】
Ｓ２７で設定された固定番号は、Ｓ２８において、機能テーブル４４Ａに保存される。Ｓ２７において、表示番号を入力した場合には、その番号を機能テーブル４４Ａに保存し、［ＯＦＦ］と設定した場合には、表示番号に存在しない「０」として、機能テーブル４４Ａに保存する。各機能項目に対する固定番号を、機能テーブル４４Ａに保存した後、固定情報設定処理（Ｓ１２）を終了し、Ｓ４に戻る。
【００５６】
そして、Ｓ１３にて機能キーが入力されたと判断された場合（Ｓ１３：ＹＥＳ）に、移行する機能選択処理について、図面を参照しつつ、詳細に説明する。図８は、機能選択処理プログラムのフローチャートである。
【００５７】
機能選択処理に移行すると、Ｓ２９において、機能選択画面情報を取得する。本実施形態における機能選択画面情報は、前述したガイダンス画面情報と同様に、現在表示すべき機能選択画面を示す情報である。機能選択画面情報を取得した後（Ｓ２９）、Ｓ３０に移行する。
【００５８】
Ｓ３０においては、機能選択画面情報が、第３画面を表示すべき旨の情報であるか否かの判断がなされる。機能選択画面情報が、第３画面を表示すべき旨の情報である場合（Ｓ３０：ＹＥＳ）には、Ｓ３１に移行する。一方、機能選択画面情報が、第３画面を表示すべき旨の情報ではない場合（Ｓ３０：ＮＯ）には、Ｓ３２に移行する。
【００５９】
Ｓ３１では、表示フラグがＯＮであるか否かの判断がなされる。表示フラグに関するデータは、ガイダンス画面情報と同じく、Ｓ２で判断されるバックアップデータに含まれており、初期設定では、ＯＮに設定されている。また、表示フラグは、後述する機能項目ＯＮ／ＯＦＦ設定において、設定変更が可能である。表示フラグがＯＮである場合（Ｓ３１：ＹＥＳ）には、Ｓ３２に移行する。一方、表示フラグがＯＮではない場合（Ｓ３１：ＮＯ）、即ち、表示フラグがＯＦＦである場合には、機能選択画面表示処理を終了する。
【００６０】
Ｓ３２において、機能テーブル情報を取得する。Ｓ３２で取得する機能テーブル情報は、ＥＥＰＲＯＭ４４に記憶されている機能テーブル４４Ａに基づいて得られるデータであり、前述したガイダンス画面表示処理で用いる機能テーブル情報と同一である。そして、機能選択画面における第１画面、第２画面では、４項目の機能項目が表示可能であり、上から表示番号１〜４、５〜８に関連付けられ、第３画面には、表示番号９、１０が関連付けられている。
【００６１】
そして、機能テーブル情報の取得（Ｓ３２）後、Ｓ３３において、機能選択画面が表示される。機能選択画面は、ガイダンス画面表示処理に用いた機能テーブル情報と同一のデータに基づいて、液晶ディスプレイ７に表示される。つまり、画面番号、表示番号、固定番号及びカウント数のデータが同一の処理を経て表示される。即ち、ガイダンス表示部７Ｂに表示されている機能項目の表示順と同じ順で機能項目が表示される（図１１、図１２参照）。これにより、ユーザは、機能選択画面においても、使いやすい状態に設定することができるのである。
【００６２】
Ｓ３３における機能選択画面が表示されると、Ｓ３４にて、キーボード６に配設された何れかのキーが入力されたか否かの判断がなされる。何れかのキーが入力された場合（Ｓ３４：ＹＥＳ）には、Ｓ３５に移行する。一方、何れのキーも入力されない場合（Ｓ３４：ＮＯ）には、キー入力がなされるまで処理を待機する。
【００６３】
Ｓ３５では、入力されたキーが、機能設定キーであるか否かについての判断がなされる。本実施形態の機能選択処理においては、機能キー１３Ａが機能設定キーとして用いられる。機能キー１３Ａが入力された場合（Ｓ３５：ＹＥＳ）には、Ｓ３６における機能設定処理に移行する。機能キー１３Ａが入力されなかった場合（Ｓ３５：ＮＯ）には、Ｓ３７に移行する。
【００６４】
ここで、Ｓ３５において、機能設定キーが入力されて移行する機能設定処理（Ｓ３６）について、図面を参照しつつ詳細に説明する。図９は、機能設定処理プログラムのフローチャートである。
機能設定処理に入ると、Ｓ４０において、各種機能項目の設定がなされる。本実施形態において設定可能な機能項目は、１０種類の機能項目である（図１０乃至図１３参照）。ここで、各機能項目について、説明する。
先ず、機能項目「Ｆｏｎｔ」は、文字入力キー２で入力される文字の書体に関する機能項目であり、本実施形態においては、「ＨＥＬＳＩＮＫＩ」、「ＯＫＬＡＨＯＭＡ」等の複数の書体を設定可能である。
また、機能項目「Ｓｉｚｅ」は、文字入力キー２で入力される文字の大きさに関する機能項目であり、本実施形態においては、「Ｓ」、「Ｍ」、「Ｌ」等複数の大きさに設定可能である。
機能項目「Ｓｔｙｌｅ」は、文字入力キー２で入力される文字の文字修飾に関する機能項目であり、本実施形態においては、文字のアウトラインのみでの表示する文字修飾や、文字を構成する太さを太くする文字修飾等の複数の文字修飾を設定可能である。
機能項目「Ｉｔａｌｉｃ」は、文字入力キー２で入力される文字に傾斜をつけた態様に変更する機能項目であり、機能項目「Ｉｔａｌｉｃ」は、ＯＮ／ＯＦＦのみの設定である。
機能項目「Ｖｅｒｔ」は、文字入力キー２で入力される文字を９０度回転させた態様に変更する機能項目であり、この機能項目も、機能項目「Ｉｔａｌｉｃ」と同様に、ＯＮ／ＯＦＦのみの設定である。
機能項目「Ｕｎｄｅｒｌｉｎｅ」は、文字入力キー２で入力された文書データにおける所望の範囲を指定し、その指定範囲の文字に対して、下線を付加する機能項目であり、本実施形態においては、複数の下線の種類を設定可能である。
機能項目「Ｆｒａｍｅ」は、文字入力キー２で入力された文書データにおける所望の範囲を指定し、その指定範囲の文字に対して、枠修飾を行う機能項目であり、本実施形態においては、複数の種類の枠修飾を設定可能である。
機能項目「Ｗｉｄｔｈ」は、文字入力キー２で入力される文字の幅に関する機能項目であり、本実施形態においては、複数の文字幅を設定可能である。
機能項目「Ａｌｉｎｅ」は、文字入力キー２で入力された文書データの水平位置を変更する機能項目であり、いわゆる「右寄せ」、「左寄せ」、「センタリング」の設定が可能な機能項目である。
最後に、機能項目「Ｃｕｔ」は、印字の終了した印字テープの自動切断に関する機能項目であり、自動切断機能のＯＮ／ＯＦＦのみの設定である。
Ｓ４０では、上記した１０種類の機能項目より、設定変更したい機能項目を選択し、その選択した機能項目に対応する設定内容の設定を行う。機能項目の設定（Ｓ４０）終了後、Ｓ４１に移行する。
【００６５】
Ｓ４１では、Ｓ４０で選択し、設定変更した機能項目がソートありか否かについての判断がなされる。本実施形態においては、設定変更した機能項目に対応する機能テーブル４４Ａの固定番号が「０」であるか否かにより判断がなされる。設定変更した機能項目がソート有りの場合（Ｓ４１：ＹＥＳ）には、Ｓ４２に移行する。一方、設定変更した機能項目がソート有りではない場合（Ｓ４１：ＮＯ）、即ち、設定変更された機能項目の固定番号が「０」ではなく、表示位置が固定されている場合には、機能設定処理を終了する。
【００６６】
Ｓ４１で、設定変更された機能項目がソート有りと判断された場合（Ｓ４１：ＹＥＳ）、Ｓ４２で、設定変更された機能項目に対応する機能テーブル４４Ａのカウント数に、１を加算する。
その後、Ｓ４３において、機能テーブル４４Ａの、固定番号、カウント数のデータを参照して、固定番号が設定されていない機能項目をカウント数の大きい順にソートする（図１０（ｂ）参照）。そして、ソート結果に基づき、「０」以外の固定番号が設定されている表示番号を除いた表示番号の内、表示番号の小さい順に、カウント数の大きな機能項目を配置し、ソート有りの機能項目に関するソート（Ｓ４３）を終了し、機能選択処理も終了する。
【００６７】
Ｓ３６における機能選択処理が終了すると、Ｓ３８に移行し、機能選択処理のＳ４４にてソートされ、変更された機能テーブル情報を、ＥＥＰＲＯＭ４４にある機能テーブル４４Ａに保存する。機能テーブル４４Ａに、機能選択処理により変更された機能テーブル情報の機能テーブル４４Ａへの保存（Ｓ３８）終了後、機能選択処理を終了する。
【００６８】
一方、Ｓ３５において、機能設定キーの入力がなされなかった場合（Ｓ３５：ＮＯ）には、Ｓ３７で画面切替キーが入力されたか否かについての判断がなされる。本実施形態の画面切替キーとは、機能選択処理において、入力されるガイダンス画面切替キー１３Ｂである。画面切替キーが入力された場合（Ｓ３７：ＹＥＳ）には、Ｓ３９に移行し、機能選択画面情報の変更がなされる。ここでの機能選択画面情報は、現在表示されている機能選択画面を表示する旨の情報であり、この機能選択画面情報から、画面切替キーの入力に基づき選択される機能選択画面を表示する旨の情報への変更がなされる。
そして、画面切替キーの入力がなされなかった場合（Ｓ３７：ＮＯ）には、Ｓ３４に移行し、キー入力がなされるまで待機する。
【００６９】
以上説明したように、本実施形態に係るテープ印字装置１では、ＥＥＰＲＯＭ４４にある機能テーブル４４Ａに、機能項目夫々に機能項目を設定した回数を計数したカウンタ数のデータを有するので、ガイダンス表示部７Ｂに、ユーザの使用頻度の高い順に、ガイダンス表示部に表示される。これにより、ユーザは、ガイダンス表示部７Ｂを視認することのみで、機能項目の設定状態を確認することができ、設定確認のための煩雑な操作を省略することができる。
【００７０】
そして、機能テーブル４４Ａには、ガイダンス表示部７Ｂにおける機能項目の表示位置を指定する固定番号のデータを有するので、ユーザは、ガイダンス表示部７Ｂにおける機能項目の表示位置を任意に指定することができる。これにより、ガイダンス表示部７Ｂに頻繁に用いる機能項目を視認しやすい位置に固定することができる。更に、固定番号を設定しない機能項目は、前述したカウンタ数に基づいて、ガイダンス表示部７Ｂに表示される。ユーザの任意に設定した機能項目と、ユーザの使用頻度に応じた順番で表示される機能項目が混在し、ユーザの好みに合致したガイダンス表示部７Ｂにおける機能項目の表示と、視認しやすいガイダンス表示部７Ｂにおける機能項目の表示を両立することができる。
【００７１】
また、表示フラグにより、使用頻度の低い機能項目を非表示に設定することができる。これにより、不必要な機能項目の設定状態を示す表示がされず、ガイダンス表示部の表示を視認しやすくするとともに、余分な操作を省略することができる。
更に、ガイダンス画面切替キー１３Ｂの操作に基づいて、ガイダンス表示部７Ｂを、第１画面、第２画面及び第３画面に切り替えることが可能となる。これにより、第１画面乃至第３画面のガイダンス表示部７Ｂに表示される全ての機能項目の設定状態を、ガイダンス画面切替キー１３Ｂの入力操作という単純な操作のみで確認することができる。
【００７２】
そして、ガイダンス表示部７Ｂにおける機能項目の表示位置を設定するデータとして用いる機能テーブル４４Ａを、機能選択画面における機能項目の表示位置を設定するデータとして用いるので、ユーザ自らの好みに合致するとともに、見やすく設定したガイダンス表示部７Ｂの機能項目の表示順と、機能選択画面における機能項目の表示順が等しくなる。これにより、機能選択画面における機能項目の選択をしやすくすることができる。
【実施例２】
【００７３】
ここで、前述した実施例１とは別の実施例について、説明する。実施例２におけるテープ印字装置１の概略構成及び、制御系回路の構成は、同一であるので再度の説明は省略する。
そして、実施例２に係るテープ印字装置１の動作についても、実施例１に記載したプログラムとほぼ同一のプログラムにより制御されている。実施例１の制御プログラムと異なるのは、機能設定処理プログラムのみである。その他の基本制御プログラム及び各処理プログラムは同一であるので、これについての再度の説明も省略する。
【００７４】
実施例２において、唯一異なる機能設定処理プログラムについて、図１４を参照しつつ詳細に説明する。図１４は、実施例２に係るテープ印字装置１における機能設定処理プログラムのフローチャートである。
【００７５】
実施例２では、テープ印字装置１の制御が行われ、機能選択処理プログラム（図８参照）のＳ３５において、機能設定キーが入力されたと判断された場合（Ｓ３５：ＹＥＳ）に、実施例１とは異なる機能設定処理プログラムに移行する。
【００７６】
実施例２の機能設定処理プログラムに移行すると、先ず各種機能項目の設定（Ｓ４４）が行われる。各種機能項目の設定については、実施例１におけるＳ４０で説明したものと同様であるので、ここでの説明は省略する。そして、各種機能項目の設定（Ｓ４４）終了後、Ｓ４５に移行する。
【００７７】
Ｓ４５に移行すると、設定した機能項目はソート有りか否かについての判断がなされる。実施例２においても、設定変更した機能項目に対応する機能テーブル４４Ａの固定番号が「０」であるか否かにより、ソート有りか否かの判断がなされる。設定変更した機能項目がソート有りの場合（Ｓ４５：ＹＥＳ）には、Ｓ４６に移行する。一方、設定変更した機能項目がソート有りではない場合（Ｓ４５：ＮＯ）、即ち、設定変更された機能項目の固定番号が「０」ではなく、表示位置が固定されている場合には、機能設定処理を終了する。
【００７８】
Ｓ４５で、設定変更された機能項目がソート有りと判断された場合（Ｓ４５：ＹＥＳ）、Ｓ４６で、設定変更された機能項目を、機能テーブル４４Ａにおける固定番号０に設定されている機能項目の中で最小の表示番号に移動する。そして、Ｓ４４における設定変更前に、固定番号０に設定されている機能項目の中で、最小の表示番号であった機能項目を、次に小さい表示番号の位置に移動し、順次、固定番号０に設定されている機能項目の表示番号を変更し、機能選択処理も終了する。
【００７９】
以上説明したように、実施例２に係るテープ印字装置では、機能選択画面において、最新に設定変更された機能項目の順に、ガイダンス表示部７Ｂに表示される。これにより、ユーザ自らが最新に設定した機能項目及び、直近に設定した機能項目の設定状態を、ガイダンス表示部７Ｂの第１画面を視認するだけで確認することができる。
【００８０】
そして、実施例１と同様に機能テーブル４４Ａには、ガイダンス表示部７Ｂにおける機能項目の表示位置を指定する固定番号のデータを有するので、ユーザは、ガイダンス表示部７Ｂにおける機能項目の表示位置を任意に指定することができる。これにより、ガイダンス表示部７Ｂにユーザ所望の機能項目を視認しやすい位置に固定することができる。更に、固定番号を設定しない機能項目は、最新に設定された機能項目からガイダンス表示部７Ｂに表示される。ユーザの任意に設定した機能項目と、ユーザの使用履歴に応じた順番で表示される機能項目が混在し、ユーザの好みに合致したガイダンス表示部７Ｂにおける機能項目の表示と、視認しやすいガイダンス表示部７Ｂにおける機能項目の表示を両立することができる。
【００８１】
また、表示フラグにより、使用頻度の低い機能項目を非表示に設定することができる。これにより、不必要な機能項目の設定状態を示す表示がされず、ガイダンス表示部の表示を視認しやすくするとともに、余分な操作を省略することができる。
更に、ガイダンス画面切替キー１３Ｂの操作に基づいて、ガイダンス表示部７Ｂを、第１画面、第２画面及び第３画面に切り替えることが可能となる。これにより、第１画面乃至第３画面のガイダンス表示部７Ｂに表示される全ての機能項目の設定状態を、ガイダンス画面切替キー１３Ｂの入力操作という単純な操作のみで確認することができる。
【００８２】
そして、ガイダンス表示部７Ｂにおける機能項目の表示位置を設定するデータとして用いる機能テーブル４４Ａを、機能選択画面における機能項目の表示位置を設定するデータとして用いるので、ユーザ自らの好みに合致するとともに、見やすく設定したガイダンス表示部７Ｂの機能項目の表示順と、機能選択画面における機能項目の表示順が等しくなる。これにより、機能選択画面における機能項目の選択をしやすくすることができる。
【００８３】
尚、本発明は前記実施例１及び実施例２の記載に限定されるものではなく、本発明の要旨を逸脱しない範囲内で種々の改良、変形が可能であることは勿論である。
例えば、本実施例においては、ガイダンス表示部７Ｂ及び機能選択画面を３画面にわたって表示可能としたが、３画面に限定したものではなく、それ以上の複数画面にわたって表示したとしても何等の使用をきたすものではない。
【００８４】
また、本実施例において、設定可能且つガイダンス表示部７Ｂに表示可能な機能項目は最大１０項目であったが、更に多くの機能項目を設定可能とし、その機能項目夫々に対して、ガイダンス表示部７Ｂに表示するようにしてもよい。
【図面の簡単な説明】
【００８５】
【図１】本実施形態に係るテープ印字装置の外観図である。図１（Ａ）は概略上方外観図、図１（Ｂ）は概略右側方外観図である。
【図２】本実施形態に係るテープ印字装置のカセット収納部にテープカセットを装着した場合の概略構成を示す平面図である。
【図３】本実施形態に係るテープ印字装置のブロック図である。
【図４】本実施形態に係るテープ印字装置の基本制御プログラムのフローチャートである。
【図５】本実施形態に係るテープ印字装置のガイダンス画面表示処理プログラムのフローチャートである。
【図６】本実施形態に係るテープ印字装置の機能表示ＯＮ／ＯＦＦ設定処理プログラムのフローチャートである。
【図７】本実施形態に係るテープ印字装置固定情報設定処理プログラムのフローチャートである。
【図８】本実施形態に係るテープ印字装置の機能選択処理プログラムのフローチャートである。
【図９】本実施形態に係るテープ印字装置において、実施例１で用いられる機能設定処理プログラムのフローチャートである。
【図１０】本実施形態に係るテープ印字装置で用いられる機能テーブルに関する説明図である。
【図１１】本実施形態に係るテープ印字装置の初期設定状態における液晶ディスプレイの表示例である。
【図１２】本実施形態に係るテープ印字装置の設定変更した場合における液晶ディスプレイの表示例である。
【図１３】本実施形態に係るテープ印字装置の固定情報選択時における液晶ディスプレイの表示例である。
【図１４】本実施形態に係るテープ印字装置において、実施例２で用いられる機能設定処理プログラムのフローチャートである。
【符号の説明】
【００８６】
１                  テープ印字装置
２                  文字入力キー
７                  液晶ディスプレイ
７Ａ                主表示部
７Ｂ                ガイダンス表示部
９                  サーマルヘッド
１０                プラテンローラ
１３                機能キー
１３Ａ              ガイダンス画面切替キー
１３Ｂ              ユーザ設定キー
４１                ＣＰＵ
４３                ＲＯＭ
４４                ＥＥＰＲＯＭ
４４Ａ              機能テーブル
４５                ＲＡＭ
５２                テープ送りモータ
【図１】
2005271263.tif 000003
【図２】
2005271263.tif 000004
【図３】
2005271263.tif 000005
【図４】
2005271263.tif 000006
【図５】
2005271263.tif 000007
【図６】
2005271263.tif 000008
【図７】
2005271263.tif 000009
【図８】
2005271263.tif 000010
【図９】
2005271263.tif 000011
【図１０】
2005271263.tif 000012
【図１１】
2005271263.tif 000013
【図１２】
2005271263.tif 000014
【図１３】
2005271263.tif 000015
【図１４】
2005271263.tif 000016